(57)【要約】【課題】一方のモータの回転数の調整に応じて、他方のモータの回転数を適切に調整する空気調和機を提供する。【解決手段】第１送風部１２が、ＤＣモータ２１を駆動する電流が所定制限値以下となるように、第１回転数指令Ｖ１により指示された第１回転数よりも低い回転数で第１ファン２０を回転させる電流制限機能を備えており、コントローラ１５が、第１送風部１２が電流制限機能により動作する場合に、第２回転数指令Ｖ２とは異なる制限回転数指令Ｖ３を第２送風部１８へ伝達し、第２ファン２３が第２回転数より低い第３回転数で回転するよう制御するダクト形空気調和機１を提供する。【選択図】図２
2015094481.tif 000002
【特許請求の範囲】
【請求項１】
熱交換器と、
前記熱交換器により熱交換された空気を室内に吹出すための吹出しダクトに接続される吹出し口と、
前記熱交換器により熱交換された空気を前記吹出し口に向けて送風する第１ファンおよび該第１ファンを回転させる第１モータを有する第１送風部と、
前記熱交換器により熱交換された空気を前記吹出し口に向けて送風する第２ファンおよび該第２ファンを回転させる第２モータを有する第２送風部と、
第１回転数指令および第２回転数指令をそれぞれ前記第１送風部および前記第２送風部に伝達し、前記第１ファンが第１回転数で回転するとともに前記第２ファンが第２回転数で回転するよう制御する制御部とを備え、
前記第１送風部は、前記第１モータを駆動する電流が所定制限値以下となるように、前記第１回転数指令により指示された前記第１回転数よりも低い回転数で前記第１ファンを回転させる電流制限機能を備えており、
前記制御部は、前記第１送風部が前記電流制限機能により動作する場合に、前記第２回転数指令とは異なる他の回転数指令を前記第２送風部へ伝達し、前記第２ファンが前記第２回転数より低い回転数で回転するよう制御する空気調和機。
【請求項２】
前記第１送風部は、前記電流制限機能と前記第１回転数指令に応じた前記第１回転数で前記第１ファンを回転させる電流非制限機能を切り替えて実行可能なドライバ部を備えており、
前記第２モータは、前記制御部から伝達される前記第２回転数指令に応じて回転数を制御するドライバ機能を備えたドライバ内蔵型モータであり、
前記第１モータは、外部の前記ドライバ部から伝達される駆動信号に応じて動作するドライバ非内蔵型モータである請求項１に記載の空気調和機。
【請求項３】
前記第１送風部は、前記電流制限機能により動作する場合に、前記第１ファンの回転数を前記制御部に伝達し、
前記制御部は、前記第１送風部が前記電流制限機能により動作する場合に、前記第１送風部から伝達された前記第１ファンの回転数に基づいて前記他の回転数指令により指示される回転数を決定する請求項１または請求項２に記載の空気調和機。
【請求項４】
前記第１ファンおよび前記第２ファンは、それぞれが同一回転数で回転する場合の送風量が等しく、
前記第１回転数指令により指示される前記第１回転数と前記第２回転数指令により指示される前記第２回転数とが同一回転数であり、
前記電流制限機能で動作する前記第１送風部の前記第１ファンの回転数と前記他の回転数指令により指示される前記第２ファンの回転数とが同一回転数である請求項１から請求項３のいずれか１項に記載の空気調和機。
【請求項５】
前記第１モータの出力が、前記第２モータの出力より高い請求項１から請求項４のいずれか１項に記載の空気調和機。
【発明の詳細な説明】
【技術分野】
【０００１】
本発明は、空気調和機に関する。
【背景技術】
【０００２】
従来、熱交換器により熱交換された空気を。吹出しダクトに接続される吹出し口から送風するダクト形空気調和機が知られている（例えば、特許文献１参照。）。ダクト形空気調和機の通風抵抗は、空気調和機が設置されるダクトの長さ，径あるいは形状によって異なったものとなる。そのため、空気調和機が設置されるダクトの通風抵抗（静圧）に応じて、吹出し口に熱交換された空気を送風するファンの回転数を適切に調整し、所望の風量の空気が室内に吹き出すようにする必要がある。
特許文献１には、ファンを駆動するモータを回転数一定で運転してその際のモータの運転電力を検出し、空調時の制御値を選定することが可能なダクト形空気調和機が開示されている。
【先行技術文献】
【特許文献】
【０００３】
【特許文献１】特開平１０−１４１７４７号公報
【発明の概要】
【発明が解決しようとする課題】
【０００４】
特許文献１には、ダクト形空気調和機が備えるファンが送風可能な風量の範囲内で適切な風量となるように、モータの制御値を選定するものである。
しかしながら、１台のファンが送風可能な風量の範囲では風量が足りずに適切な風量とならない場合には、特許文献１に開示された技術では対応することができない。
【０００５】
既存のダクト形空気調和機の風量の範囲では十分な風量を得られない場合、高出力のモータおよびそれを駆動するドライバ回路を新たに設計すればよいが、多大な工数およびコストがかかるとともに装置が大型化してしまうという問題がある。
そこで、既存のダクト形空気調和機に、補助モータにより駆動される新たなファンを追加することにより風量を増加させ、所望の風量の空気が室内に吹き出すように設計する方法が考えられる。補助モータとしては、比較的安価であることから、外部の制御部からの回転数指令に応じた回転数で回転するように制御されるドライバ内蔵型のモータを用いることが考えられる。
【０００６】
既存のダクト形空気調和機には、ファンを駆動するモータの電流が所定制限値以下となるようにファンの回転数を低下させる制限する電流制限機能を備えるものがある。この電流制限機能を備えた既存のダクト形空気調和機にドライバ内蔵型のモータを補助モータとして追加する場合は、以下に示すような問題が発生する。
【０００７】
それは、電流制限機能によりファンの回転数を低下させるように制御されるモータ（主モータ）が存在する一方で、外部の制御部からの回転数指令に応じた回転数で回転する補助モータが存在することに起因する問題である。
この場合、電流制限機能により動作する主モータの回転数が低下する一方で、補助モータの回転数は一定で維持されたままとなる。そうすると、主モータにより回転するファンの風量と、補助モータにより回転するファンの風量との比率が変わってしまい、所望の性能を発揮することができなくなる。
【０００８】
本発明は、このような事情を鑑みてなされたものであり、ファンおよびファンを回転させるモータを備える送風部を複数備える空気調和装置において、一方のモータが電流制限機能によりモータに流れる電流値を制限して動作する場合に、他方のモータの回転数を適切に調整し、所望の風量が得られるようにした空気調和機を提供することを目的とする。
【課題を解決するための手段】
【０００９】
上記目的を達成するために、本発明は、以下の手段を採用する。
本発明に係る空気調和機は、熱交換器と、前記熱交換器により熱交換された空気を室内に吹出すための吹出しダクトに接続される吹出し口と、前記熱交換器により熱交換された空気を前記吹出し口に向けて送風する第１ファンおよび該第１ファンを回転させる第１モータを有する第１送風部と、前記熱交換器により熱交換された空気を前記吹出し口に向けて送風する第２ファンおよび該第２ファンを回転させる第２モータを有する第２送風部と、第１回転数指令および第２回転数指令をそれぞれ前記第１送風部および前記第２送風部に伝達し、前記第１ファンが第１回転数で回転するとともに前記第２ファンが第２回転数で回転するよう制御する制御部とを備え、前記第１送風部は、前記第１モータを駆動する電流が所定制限値以下となるように、前記第１回転数指令により指示された前記第１回転数よりも低い回転数で前記第１ファンを回転させる電流制限機能を備えており、前記制御部は、前記第１送風部が前記電流制限機能により動作する場合に、前記第２回転数指令とは異なる他の回転数指令を前記第２送風部へ伝達し、前記第２ファンが前記第２回転数より低い回転数で回転するよう制御する。
【００１０】
本発明に係る空気調和機によれば、第１ファンを回転させる第１モータが電流制限機能により動作する場合に、制御部から第２送風部に第２回転数指令とは異なる他の回転数指令が伝達され、第２回転数より低い回転数で第２モータが回転する。第２回転数指令は、第１モータが電流制限機能により動作しない場合に第２モータに伝達される回転数指令であるので、第１モータが電流制限機能により動作するのに応じて第２モータも電流値が制限された状態で動作する。
【００１１】
このようにすることで、ファンおよびファンを回転させるモータを備える送風部を複数備える空気調和装置において、一方のモータが電流制限機能によりモータに流れる電流値を制限して動作する場合に、他方のモータの回転数を適切に調整し、所望の風量が得られるようにした空気調和機を提供することができる。
【００１２】
本発明の第１態様の空気調和機は、前記第１送風部は、前記電流制限機能と前記第１回転数指令に応じた前記第１回転数で前記第１ファンを回転させる電流非制限機能を切り替えて実行可能なドライバ部を備えており、前記第２モータは、前記制御部から伝達される前記第２回転数指令に応じて回転数を制御するドライバ機能を備えたドライバ内蔵型モータであり、前記第１モータは、外部の前記ドライバ部から伝達される駆動信号に応じて動作するドライバ非内蔵型モータである。
【００１３】
本態様の空気調和機によれば、第２モータとして、制御部から伝達される第２回転数指令に応じて回転数を制御するドライバ機能を備えたドライバ内蔵型モータを用いることで、比較的安価な空気調和機を提供することができる。また、ドライバ非内蔵型モータを制御するドライバ部が実行可能な電流制限機能を、制御部を介在させることにより、適切に第２モータに実行させることができる。
【００１４】
本発明の第２態様の空気調和機は、前記第１送風部が、前記電流制限機能により動作する場合に、前記第１ファンの回転数を前記制御部に伝達し、前記制御部が、前記第１送風部が前記電流制限機能により動作する場合に、前記第１送風部から伝達された前記第１ファンの回転数に基づいて前記他の回転数指令により指示される回転数を決定する。
このようにすることで、第１送風部が電流制限機能により動作する場合に、第１ファンの回転数に基づいた適切な回転数で第２ファンを回転させるように、他の回転数指令により指示される回転数を決定することができる。
【００１５】
本発明の第３態様の空気調和機は、前記第１ファンおよび前記第２ファンは、それぞれが同一回転数で回転する場合の送風量が等しく、前記第１回転数指令により指示される前記第１回転数と前記第２回転数指令により指示される前記第２回転数とが同一回転数であり、前記電流制限機能で動作する前記第１送風部の前記第１ファンの回転数と前記他の回転数指令により指示される前記第２ファンの回転数とが同一回転数である。
このようにすることで、同一回転数で回転する場合の送風量が等しい第１ファンおよび第２ファンの回転数を、第１送風部が前記電流制限機能により動作するかしないかに拘わらず一定の回転数とし、所望の風量が得られるようにすることができる。
【００１６】
本発明の第４態様の空気調和機は、前記第１モータの出力が、前記第２モータの出力より高い。
このようにすることで、出力の高い第１モータの動力により回転する第１ファンの風量を第２ファンによって補うために、第２ファンを回転させる補助モータとして出力の低い第２モータを採用することができる。
【発明の効果】
【００１７】
本発明によれば、ファンおよびファンを回転させるモータを備える送風部を複数備える空気調和装置において、一方のモータが電流制限機能によりモータに流れる電流値を制限して動作する場合に、他方のモータの回転数を適切に調整し、所望の風量が得られるようにした空気調和機を提供することができる。
【図面の簡単な説明】
【００１８】
【図１】本発明の一実施形態のダクト形空気調和機を示す側面図である。
【図２】図１に示すダクト形空気調和機の制御構成を示すブロック図である。
【図３】図１に示す第１送風部が有するＤＣモータの静圧−風量特性を示す図である。
【図４】図１に示す第２送風部が有するＤＣモータの静圧−風量特性を示す図である。
【図５】図２に示すコントローラが実行する処理を示すフローチャートである。
【図６】図２に示す第１送風部のドライバ回路が実行する処理を示すフローチャートである。
【図７】図２に示す第２送風部のＤＣモータが実行する処理を示すフローチャートである。
【発明を実施するための形態】
【００１９】
以下、本発明の一実施形態のダクト形空気調和装置について、図面を参照して説明する。図１は、本発明の一実施形態に係るダクト形空気調和機を示す側面図である。なお、本実施形態では、ダクト形空気調和機の一例として、天井に埋め込んで設置されるダクト形空気調和機１が例示されている。
【００２０】
このダクト形空気調和機１のユニット本体２は、図１に示されるように、建屋の梁等に鉛直方向に設けられる複数本の吊りボルトを介して天井内に吊り下げ設置されるようになっている。なお、屋外に設置される室外機は、図示省略されている。
【００２１】
ダクト形空気調和機（空気調和機）１は、室内から吸込みグリル３、消音チャンバー４および吸込みダクト５を介して吸込んだ室内空気を冷媒と熱交換させて冷却または加熱した後、吹出しダクト６、吹出しユニット７および吹出しグリル８等を介して室内に吹出すように構成されている。吹出しダクト６は、吹出しユニット７の配設位置等により、その長さ、径および形状等が様々変化するものである。なお、天井面９には、ダクト形空気調和機１のユニット本体２を点検あるいはメンテナンスするための点検口１０が設けられている。
【００２２】
ユニット本体２は、箱形とされており、その内部には、冷媒と室内空気とを熱交換する室内熱交換器（熱交換器）１１と、室内空気を循環させる第１送風部１２と、室内空気を循環させる第２送風部１８とが組み込まれている。
また、ユニット本体２の内部には、室内熱交換器１１で発生したドレン水を受けるドレンパン、ドレンパン内に溜まったドレン水を外部に排出するドレンポンプ（ドレンパンおよびドレンポンプは図示省略）等が組み込まれている。
【００２３】
また、ユニット本体２には、前後側面に吸込みダクト５および吹出しダクト６が接続される吸込み口１３および吹出し口１４が設けられている。吹出し口１４は、室内熱交換器１１により熱交換された空気を吹出しダクト６を介して室内に吹き出す。
ユニット本体２の一側面には、ダクト形空気調和機１の運転を制御するコントローラ１５が設けられており、コントローラ１５には、リモコン１６が接続されている。
【００２４】
次に、本実施形態のダクト形空気調和機１の制御構成について、図２を用いて説明する。図２は、本実施形態のダクト形空気調和機１の制御構成を示すブロック図である。図２に示すように、ダクト形空気調和機１の運転を制御するコントローラ１５は、第１送風部１２および第２送風部１８に電気的に接続されている。
【００２５】
コントローラ１５は、ＣＰＵ等の演算部を備えており、ＲＯＭ等の記憶部（不図示）に記憶された動作プログラムを読み出して演算部にて実行することにより、ダクト形空気調和機１の運転を制御する。
コントローラ１５は、信号線２５を介して電圧信号である第１回転数指令Ｖ１を第１送風部１２のドライバ回路２２へ伝達する。また、コントローラは、信号線２６を介して電圧信号である第２回転数指令Ｖ２を第２送風部１８のＤＣモータ２４へ伝達する。ここで、第１回転数指令Ｖ１はＤＣモータ２１を単位時間あたり第１回転数Ｒ１で回転させる指令であり、第２回転数指令Ｖ２はＤＣモータ２４を単位時間あたり第２回転数Ｒ２で回転させる指令である。
【００２６】
図２に示すように、第１送風部１２は、第１ファン２０とＤＣモータ２１（第１モータ）とドライバ回路２２（ドライバ部）を備えている。第１ファン２０は、室内熱交換器１１により熱交換された空気を吹出し口１４に向けて送風するファンである。ＤＣモータ２１は、第１ファン２０の回転軸（不図示）に連結される駆動軸（不図示）を備えるＤＣモータである。ＤＣモータ２１は、駆動軸を介して第１ファン２０を回転軸回りに回転させる。
【００２７】
第１送風部１２が備えるドライバ回路２２は、信号線２５を介してコントローラ１５から伝達される第１回転数指令Ｖ１を受信し、第１回転数指令Ｖ１に応じた第１回転数Ｒ１で第１ファン２０が回転するように信号線２７を介してＤＣモータ２１に駆動信号Ｄ１を伝達する。ＤＣモータ２１は外部のドライバ回路２２から伝達される駆動信号Ｄ１に応じて動作するドライバ非内蔵型モータとなっている。
【００２８】
図２に示すように、第２送風部１８は、第２ファン２３とＤＣモータ２４（第２モータ）を備えている。第２ファン２３は、室内熱交換器１１により熱交換された空気を吹出し口１４に向けて送風するファンである。ＤＣモータ２４は、第２ファン２３の回転軸（不図示）に連結される駆動軸（不図示）を備えるＤＣモータである。ＤＣモータ２４は、駆動軸を介して第２ファン２３を回転軸回りに回転させる。
【００２９】
ＤＣモータ２４は、信号線２６を介してコントローラ１５から伝達される第２回転数指令Ｖ２を受信し、第２回転数指令Ｖ２に応じた第２回転数Ｒ２で第２ファン２３が回転するようにＤＣモータ２４を制御するドライバ部２４ａを備えている。このように、ＤＣモータ２４は内蔵されたドライバ部２４ａにより制御されるドライバ内蔵型モータとなっている。
【００３０】
ＤＣモータ２１およびＤＣモータ２４として、各種の出力のモータを採用することが可能である。例えば、ＤＣモータ２１を定格出力４００Ｗ以上の高出力モータとし、ＤＣモータ２４を定格出力２００Ｗ以下の低出力モータとすることができる。
【００３１】
このように、第１送風部１２はコントローラ１５から伝達される第１回転数指令Ｖ１に応じて第１ファンの回転数を制御し、第２送風部１８はコントローラ１５から伝達される第２回転数指令Ｖ２に応じて第２ファンの回転数を制御する。第１送風部１２と第２送風部１８とは、それぞれコントローラ１５から伝達される回転数指令に応じてファンの回転数を制御する点が共通している。
【００３２】
一方、第１送風部１２は後述する電流制限機能を備えているのに対し、第２送風部１８は電流制限機能を備えていない点で異なっている。後述するように、第２送風部１８自身は電流制限機能を備えていないものの、第１送風部１２が電流制限機能を実行する場合にコントローラ１５が第２送風部１８に伝達する回転数指令を異ならせている。コントローラ１５が介在することにより、第２送風部１８は電流制限がされた状態で動作することとなる。コントローラ１５を含む各部の動作については、後述する。
【００３３】
ここで、第１送風部１２が備える電流制限機能について説明する。図３は、第１送風部１２が有するＤＣモータ２１の静圧−風量特性を示す図である。図中のＬ１およびＬ２は、最大運転点Ｐ１で連結される曲線であり、線上の各点がＤＣモータ２１を第１回転数Ｒ１で回転させる場合の動作点を示している。
最大運転点Ｐ１は、風量の増加に伴って増大するＤＣモータ２１の電流値が制限値Ｉｍａｘ１（所定制限値）となる動作点を示すものである。最大運転点Ｐでの静圧はＰｓとなり風量はＶａ１となる。
【００３４】
最大運転点Ｐ１の静圧Ｐｓ１よりも低い静圧の環境において、Ｌ２で示される第１回転数Ｒ１で回転させると、その際にＤＣモータ２１が必要とする電流の電流値はＩｍａｘ１よりも多くなってしまう。そこで、本実施形態の第１送風部１２は、ＤＣモータ２１に流れる電流が制限値Ｉｍａｘ１以下となるように、第１回転数Ｒ１よりも低い回転数で第１ファン２０を回転させる電流制限機能を備えている。
【００３５】
図３中に示すＬ３は、最大運転点Ｐ１における静圧Ｐｓ１よりも静圧が低くなる環境における、電流制限機能が実行された状態のＤＣモータ２１の動作点を示している。ＤＣモータ２１の動作点をＬ２上の動作点ではなくＬ３上の動作点にすることで、ＤＣモータ２１に流れる電流の電流値が制限値Ｉｍａｘ１以下となる。
このＬ３上の動作点で動作する第１ファン２０の回転数は、第１回転数Ｒ１よりも低くなる。
【００３６】
図４は、第２送風部１８が有するＤＣモータ２４の静圧−風量特性を示す図である。図中のＬ４およびＬ５は、最大運転点Ｐ２で連結される曲線であり、線上の各点がＤＣモータ２４を第２回転数Ｒ２で回転させる場合の動作点を示している。
最大運転点Ｐ２は、風量の増加に伴って増大するＤＣモータ２４の電流値が制限値Ｉｍａｘ２となる動作点を示すものである。最大運転点Ｐ２での静圧はＰｓとなり風量はＶａ２となる。
【００３７】
前述した第１送風部１２が最大運転点Ｐ１で動作する場合に、第２送風部１８が最大運転点Ｐ２で動作するように、予めコントローラ１５，ドライバ回路２２，ドライバ部２４ａ等の各部が設計されている。第１送風部１２の最大運転点Ｐ１における静圧と、第２送風部１８の最大運転点Ｐ２における静圧は、同一のＰｓとなっている。
【００３８】
最大運転点Ｐ２の静圧Ｐｓよりも低い静圧の環境において、Ｌ５で示される第２回転数Ｒ２で回転させると、その際にＤＣモータ２４が必要とする電流の電流値はＩｍａｘ２よりも多くなってしまう。そこで、本実施形態の第２送風部１８は、コントローラ１５の介在によって、ＤＣモータ２４に流れる電流が制限値Ｉｍａｘ２以下となるように、第２回転数Ｒ２よりも低い回転数で第２ファン２３を回転させる。
【００３９】
図４中に示すＬ６は、最大運転点Ｐ２における静圧Ｐｓよりも静圧が低くなる環境における、ＤＣモータ２４の動作点を示している。ＤＣモータ２４の動作点をＬ５上の動作点ではなくＬ６上の動作点にすることで、ＤＣモータ２４に流れる電流の電流値が制限値Ｉｍａｘ２以下となる。
このＬ６上の動作点で動作する第２ファン２３の回転数は、第２回転数Ｒ２よりも低くなる。
【００４０】
次に、図５を参照して、コントローラ１５が実行する処理について説明する。図５は、図２に示すコントローラが実行する処理を示すフローチャートである。
図５における各工程は、コントローラ１５が備える演算部が、ＲＯＭ等の記憶部（不図示）に記憶された動作プログラムを読み出して実行することにより行われる。
【００４１】
ステップＳ５０１で、コントローラ１５は、第１回転数指令Ｖ１を第１送風部１２のドライバ回路２２に伝達する。
また、ステップＳ５０２で、コントローラ１５は、第２回転数指令Ｖ２を第２送風部１８のＤＣモータ２４が有するドライバ部２４ａに伝達する。
【００４２】
ステップＳ５０３で、コントローラ１５は、第１送風部１２が電流制限機能を実行中であるかどうかを判定する。第１送風部１２が電流制限機能を実行中であると判定した場合（ＹＥＳの場合）、コントローラ１５は、ステップＳ５０４に処理を進める。コントローラ１５は、ステップＳ５０３がＮＯの判定であれば、再びステップＳ５０３の判定を行う。
コントローラ１５は、第１送風部１２のドライバ回路２２から、電流制限機能の実行の伝達を受けた場合に、ステップＳ５０３でＹＥＳと判定する。
【００４３】
ステップＳ５０４で、コントローラ１５は、電流制限機能を実行中の第１送風部１２のドライバ回路２２からＤＣモータ２１の現在の単位時間あたりの回転数を示す回転数Ｒａ１を受信する。
回転数Ｒａ１を受信したコントローラ１５は、ステップＳ５０５で、回転数Ｒａ１に基づいて、第２送風部１８へ伝達する制限回転数指令Ｖ３を決定する。この制限回転数指令Ｖ３は、第２ファン２３を第２回転数Ｒ２よりも低い回転数Ｒ３で回転させるための指令値である。コントローラ１５は、図４のＬ６で示す動作点でＤＣモータ２４が動作するように、制限回転数指令Ｖ３を決定する。
【００４４】
ステップＳ５０６で、コントローラ１５は、ステップＳ５０５で決定した制限回転数指令Ｖ３を第２送風部１８のＤＣモータ２４が有するドライバ部２４ａに伝達する。制限回転数指令Ｖ３を受信したドライバ部２４ａは、後述するように、ＤＣモータ２４の回転数Ｒａ２が第３回転数Ｒ３と一致するようにＤＣモータ２４を制御する。
【００４５】
ステップＳ５０７で、コントローラ１５は、第１送風部１２が電流制限機能を実行中であるかどうかを再び判定する。第１送風部１２が電流制限機能を実行中であると判定した場合（ＹＥＳの場合）、コントローラ１５は、ステップＳ５０４に処理を進める。コントローラ１５は、ステップＳ５０７がＮＯの判定であれば、本フローチャートの処理を終了する。コントローラ１５は、第１送風部１２のドライバ回路２２から、電流制限機能が解除されたとの伝達を受けた場合に、ステップＳ５０７でＮＯと判定する。本フローチャートの処理を終了したコントローラ１５は、再び本フローチャートの処理をステップＳ５０１から開始する。
【００４６】
次に、図６を参照して、第１送風部１２のドライバ回路２２が実行する処理について説明する。図６は、図２に示す第１送風部１２のドライバ回路２２が実行する処理を示すフローチャートである。
図６における各工程は、ドライバ回路２２が備える演算部が、ＲＯＭ等の記憶部（不図示）に記憶された動作プログラムを読み出して実行することにより行われる。
【００４７】
ステップＳ６０１で、ドライバ回路２２は、第１回転数指令Ｖ１をコントローラ１５から受信する。
ステップＳ６０２で、ドライバ回路２２は、第１回転数指令Ｖ１に基づいて、電流制限機能を実行するかどうかを判定する。ドライバ回路２２は、電流制限機能を実行すると判定した場合はステップＳ６０５に処理を進め、そうでない場合はステップＳ６０３に処理を進める。
【００４８】
電流制限機能を実行するかどうかは、例えば、ダクト形空気調和機１が設置される環境における静圧を予め測定しておき、その静圧の環境下で第１回転数指令Ｖ１に応じた第１回転数Ｒ１で回転させると、制限値Ｉｍａｘ１を超えてしまうかどうかにより判定する。具体的には制限値Ｉｍａｘ１に対応する静圧Ｐｓよりも低い静圧の環境下では、制限値Ｉｍａｘ１を超えてしまうので、ステップＳ６０２でＹＥＳと判定する。
【００４９】
以下で説明するステップＳ６０３およびステップＳ６０４は、電流制限機能を実行しない場合に行われる工程であり、この工程により実現される機能は、電流非制限機能である。
一方、以下で説明するステップＳ６０５〜ステップＳ６０８は、電流制限機能を実行する場合に行われる工程であり、この工程により実現される機能は、電流制限機能である。
このように、ドライバ回路２２は、電流制限機能と電流非制限機能とを切り替えて実行することができる。
【００５０】
ステップＳ６０３で、ドライバ回路２２は、ＤＣモータ２１の回転数Ｒａ１が第１回転数指令Ｖ１に対応する第１回転数Ｒ１と一致するように制御する。ＤＣモータ２１は、ドライバ回路２２に回転数Ｒａ１を伝達する端子を備えている。ドライバ回路２２は、ＤＣモータ２１から受信した回転数Ｒａ１に基づいてＤＣモータ２１に出力する駆動電圧の電圧値を調整することにより、ＤＣモータ２１の回転数Ｒａ１を第１回転数Ｒ１に一致させる。
【００５１】
ステップＳ６０４で、ドライバ回路２２は、第１送風部１２の電流制限機能が解除されたことをコントローラ１５に伝達する。この伝達は、例えば、電流制限機能で動作していた第１送風部１２の機能が電流非制限機能に切り替わった場合に伝達すればよい。
ステップＳ６０４を実行したドライバ回路２２は本フローチャートの処理を終了し、その後本フローチャートの処理を開始する。
【００５２】
ここで、ステップＳ６０５〜ステップＳ６０８で行われる電流制限機能について説明する。
ステップＳ６０５で、ドライバ回路２２は、第１回転数指令Ｖ１に対応する第１回転数Ｒ１より低い制限回転数Ｒ４を決定する。
ドライバ回路２２は、図３のＬ３で示す動作点でＤＣモータ２１が動作するように、制限回転数Ｒ４を決定する。
【００５３】
ステップＳ６０６で、ドライバ回路２２は、ＤＣモータ２１の回転数Ｒａ１が制限回転数Ｒ４と一致するように制御する。ドライバ回路２２は、ＤＣモータ２１から受信した回転数Ｒａ１に基づいてＤＣモータ２１に出力する駆動電圧の電圧値を調整することにより、ＤＣモータ２１の回転数Ｒａ１を制限回転数Ｒ４に一致させる。
【００５４】
ステップＳ６０７で、ドライバ回路２２は、第１送風部１２が電流制限機能を実行していることをコントローラ１５に伝達する。また、ステップＳ６０８で、ドライバ回路２２は、コントローラ１５にＤＣモータ１の回転数Ｒａ１を伝達する。
ステップＳ６０８を終了すると、ドライバ回路２２は、ステップＳ６０２へ処理を進める。
【００５５】
次に、図７を参照して、第２送風部１２のＤＣモータ２４のドライバ部２４ａが実行する処理について説明する。図７は、図２に示す第２送風部１８のＤＣモータ２４が実行する処理を示すフローチャートである。図７における各工程は、ＤＣモータ２４が内蔵するドライバ部２４ａにより行われる。
【００５６】
ステップＳ７０１で、ＤＣモータ２４は、第２回転数指令Ｖ２をコントローラ１５から受信する。
ステップＳ７０２で、ＤＣモータ２４は、コントローラ１５から制限回転数指令Ｖ３を受信したかどうかを判定し、受信した場合はステップＳ７０４に処理を進め、受信していない場合はステップＳ７０３に処理を進める。
【００５７】
ステップＳ７０３は、コントローラ１５から制限回転数指令Ｖ３を受信していない場合、すなわち、第１送風部１２のＤＣモータ２１が第１回転数Ｒ１で回転している場合に実行される。ステップＳ７０３で、ＤＣモータ２４は、ＤＣモータ２４の回転数Ｒａ２が第２回転数指令Ｖ２に対応する第２回転数Ｒ２と一致するように制御する。
【００５８】
ＤＣモータ２４のドライバ部２４ａは、ＤＣモータ２４の回転数Ｒａ２に基づいてＤＣモータ２４を駆動する駆動電圧の電圧値を調整することにより、ＤＣモータ２４の回転数Ｒａ２を第２回転数Ｒ２に一致させる。
【００５９】
ステップＳ７０４は、コントローラ１５から制限回転数指令Ｖ３を受信した場合、すなわち、第１送風部１２のＤＣモータ２１が制限回転数Ｒ４で回転している場合に実行される。ステップＳ７０４で、ＤＣモータ２４は、ＤＣモータ２４の回転数Ｒａ２が制限回転数指令Ｖ３に対応する第３回転数Ｒ３と一致するように制御する。
【００６０】
ＤＣモータ２４のドライバ部２４ａは、ＤＣモータ２４の回転数Ｒａ２に基づいてＤＣモータ２４を駆動する駆動電圧の電圧値を調整することにより、ＤＣモータ２４の回転数Ｒａ２を第３回転数Ｒ３に一致させる。
【００６１】
以上の図５から図７のフローチャートで説明したように、第１送風部１２は、ＤＣモータ２１の電流値が制限値Ｉｍａｘ１を超えないように制限する電流制限機能を備えている。第１送風部１２が電流制限機能により動作する場合、その旨がコントローラ１５に伝達される。コントローラ１５は、第１送風部１２が電流制限機能により動作する場合は、第２送風部１８のＤＣモータ２４の回転数を第２回転数Ｒ２から第３回転数Ｒ３に低下させるための制限回転数指令Ｖ３を第２送風部１８に伝達する。制限回転数指令Ｖ３が伝達された第２送風部１８は、ＤＣモータ２４の回転数を第２回転数から第３回転数Ｒ３に低下させる。
【００６２】
このようにすることで、第１送風部１２が電流制限機能により第１ファン２０の回転数を低下させるのに連動して、第２送風部１８の第２ファン２３の回転数を低下させることができる。
【００６３】
第１送風部１２の第１ファン２０および第２送風部１８の第２ファン２３として、それぞれが同一回転数で回転する場合の送風量（送風能力）が等しいものを採用することができる。
この場合、第１回転数指令Ｖ１に対応する第１回転数Ｒ１と第２回転数指令Ｖ２に対応する第２回転数Ｒ２とを一致させるものとする。この場合、更に、第１送風部１２が電流制限機能により動作する際の制限回転数Ｒ４と、その際の第２送風部１８の制限回転数指令Ｖ３に対応する第３回転数Ｒ３とを一致させるものとする。
【００６４】
以上説明したよう、本実施形態のダクト形空気調和機１によれば、第１ファン２０を回転させるＤＣモータ２１が電流制限機能により動作する場合に、コントローラ１５から第２送風部１８に第２回転数指令Ｖ２とは異なる制限回転数指令Ｖ３が伝達され、第２回転数Ｒより低い第３回転数Ｒ３でＤＣモータ２４が回転する。第２回転数指令Ｖ２は、ＤＣモータ２１が電流制限機能により動作しない場合にＤＣモータ２４に伝達される回転数指令であるので、ＤＣモータ２１が電流制限機能により動作するのに応じてＤＣモータ２４も電流値が制限された状態で動作する。
【００６５】
このようにすることで、ファンおよびファンを回転させるモータを備える送風部を複数備えるダクト形空気調和装置１において、一方のモータ（ＤＣモータ２１）が電流制限機能によりモータに流れる電流値を制限して動作する場合に、他方のモータ（ＤＣモータ２４）の回転数を適切に調整し、所望の風量が得られるようにすることができる。
【００６６】
本実施形態のダクト形空気調和機１は、第１送風部１２が、電流制限機能と第１回転数指令Ｖ２に応じた第１回転数Ｒ１で第１ファン２０を回転させる電流非制限機能を切り替えて実行可能なドライバ回路２２を備えており、ＤＣモータ２４は、コントローラ１５から伝達される第２回転数指令Ｖ２に応じて回転数を制御するドライバ機能を備えたドライバ内蔵型モータである。ＤＣモータ２１は、外部のドライバ回路２２から伝達される駆動信号Ｄ１に応じて動作するドライバ非内蔵型モータである。
【００６７】
本実施形態のダクト形空気調和機１によれば、ＤＣモータ２４として、コントローラ１５から伝達される第２回転数指令Ｖ２に応じて回転数を制御するドライバ機能を備えたドライバ内蔵型モータを用いることで、比較的安価なダクト空気調和機１を提供することができる。また、ドライバ非内蔵型モータを制御するドライバ回路２２が実行可能な電流制限機能を、コントローラ１５を介在させることにより、適切にＤＣモータ２４に実行させることができる。
【００６８】
本実施形態のダクト形空気調和機１は、第１送風部１２が、電流制限機能により動作する場合に、第１ファン２０の回転数Ｒａ１をコントローラ１５に伝達する。また、コントローラ１５が、第１送風部１２が電流制限機能により動作する場合に、第１送風部１２から伝達された第１ファン２０の回転数Ｒａ１に基づいて制限回転数指令Ｖ３により指示される第３回転数Ｒ３を決定する。
このようにすることで、第１送風部１２が電流制限機能により動作する場合に、第１ファン２０の回転数Ｒａ１に基づいた適切な回転数で第２ファン２３を回転させるように、制限回転数指令Ｖ３により指示される第３回転数を決定することができる。
【００６９】
本実施形態のダクト形空気調和機１は、第１ファン２０および第２ファン２３は、それぞれが同一回転数で回転する場合の送風量が等しく、第１回転数指令Ｖ１により指示される第１回転数Ｒ１と第２回転数指令Ｖ２により指示される第２回転数Ｒ２とが同一回転数としてもよい。この場合、電流制限機能で動作する第１送風部１２の第１ファン２０の回転数Ｒａ１と制限回転数指令Ｖ３により指示される第２ファン１８の回転数Ｒ３とを同一回転数とする。
このようにすることで、同一回転数で回転する場合の送風量が等しい第１ファン２０および第２ファン２３の回転数を、第１送風部１２が電流制限機能により動作するかしないかに拘わらず一定の回転数とし、所望の風量が得られるようにすることができる。
【００７０】
本実施形態のダクト形空気調和機１は、ＤＣモータ２１の出力が、ＤＣモータ２４の出力より高い。
このようにすることで、出力の高いＤＣモータ２１の動力により回転する第１ファン２０の風量を第２ファン２３によって補うために、第２ファン２３を回転させる補助モータとして出力の低いＤＣモータ２４を採用することができる。
【符号の説明】
【００７１】
１    ダクト形空気調和機
１１  室内熱交換器（熱交換器）
１２  第１送風部
１４  吹出し口
１５  コントローラ（制御部）
１８  第２送風部
２０  第１ファン
２１  ＤＣモータ（第１モータ）
２２  ドライバ回路
２３  第２ファン
２４  ＤＣモータ（第２モータ）
２４ａ  ドライバ部
Ｖ１  第１回転数指令
Ｖ２  第２回転数指令
Ｒ１  第１回転数
Ｒ２  第２回転数
【図１】
2015094481.tif 000003
【図２】
2015094481.tif 000004
【図３】
2015094481.tif 000005
【図４】
2015094481.tif 000006
【図５】
2015094481.tif 000007
【図６】
2015094481.tif 000008
【図７】
2015094481.tif 000009